(57)【要約】  【課題】  段ボールを折曲げて組立てられる包装用緩衝体において、被緩衝物品のほぼ全体を保護するとともに、被緩衝物品の要求する緩衝度に応じて緩衝効果を変更し得るようにした包装用緩衝体を提供する。  【解決手段】  段ボール１０の切断線２７と半切線２８とによって分割される１１枚の板状部１１〜２４を互いに逆方向に交互に折曲げるとともに、とくに高い緩衝効果を必要としない部位については、板状部２１〜２４を山形に折曲げるとともに、板状部２２、２４に形成されている折曲げ片５０を折曲げ線５１のところで折曲げて板状部２１、２３の切込み段部に係合させて受け面を構成し、この受け面によって被緩衝物品５６の中間部分を受けるようにする。【選択図】  図９
2005170477.tif 000002
【特許請求の範囲】
【請求項１】
段ボールを折曲げて組立てられる包装用緩衝体において、
前記段ボールの段目の方向と交差する方向に延びる切断線と一方のライナのみが連結される半切線とを互いにほぼ平行であって前記段目の方向に交互に形成し、
前記切断線を連結部によって部分的に連結し、
前記切断線と前記半切線とによって囲まれかつ山形に折曲げられた状態で連結される少なくとも一対の板状部を具備し、
前記一対の板状部の内の一方に前記切断線および前記半切線とほぼ平行な折曲げ線によって折曲げ可能な折曲げ片を設けるとともに、他方に前記折曲げ片を受ける切込み段部を設け、
前記折曲げ片を前記折曲げ線のところで折曲げて前記切込み段部で受け、前記折曲げ片の上面を被緩衝物品の受け面とすることを特徴とする包装用緩衝体。
【請求項２】
山形に折曲げられた状態で連結される複数対の板状部を具備し、前記各対の板状部の内の一方に前記切断線および前記半切線とほぼ平行な折曲げ線によって折曲げ可能な折曲げ片を設けるとともに、他方に前記折曲げ片を受ける切込み段部を設け、前記折曲げ片を前記折曲げ線のところで折曲げて前記切込み段部で受け、前記折曲げ片の上面を被緩衝物品の受け面とすることを特徴とする請求項１に記載の包装用緩衝体。
【請求項３】
前記折曲げ片を折曲げる折曲げ線と前記切込み段部とがほぼ同じ高さの位置に形成され、前記折曲げ片の上面がほぼ水平な受け面を形成することを特徴とする請求項１または請求項２に記載の包装用緩衝体。
【請求項４】
前記折曲げ片の先端側側部に係止爪が形成され、該係止爪が前記切込み段部の根元側の側部に係合されることを特徴とする請求項１または請求項２に記載の包装用緩衝体。
【請求項５】
前記山形に折曲げられる板状部に対して段目の方向の端部側にさらに前記切断線と前記半切線とによって囲まれた板状部が連結され、端部側の該板状部が重合わされるように接合されて前記被緩衝物品の側端を受ける緩衝部として機能することを特徴とする請求項１または請求項２に記載の包装用緩衝体。
【発明の詳細な説明】
【技術分野】
【０００１】
本発明は包装用緩衝体に係り、とくに段ボールを折曲げて組立てられる包装用緩衝体に関する。
【背景技術】
【０００２】
各種の物品を梱包して物流に供する際に、物流段階において外部からの力によって物品が衝撃を受けて破損する可能性がある。そこで従来より各種の物品を物流に供する際には、これらの物品を包装箱に収納している。そして包装箱と物品との間の隙間の部分に発泡スチロール樹脂の緩衝体を配し、外部からの衝撃を上記緩衝体によって吸収し、これによって物品を衝撃から保護するようにしている。
【０００３】
従来のこのような発泡スチロール樹脂を用いた緩衝体は、使用後に廃棄した場合に、自然崩壊性を有していないために、そのままの状態で長期間にわたって残存し、廃棄物公害の原因となる。焼却処分を行なうと、発泡スチロール樹脂の緩衝体が高熱を発して炉を損傷したり、あるいはまた黒煙を発して大気汚染の原因になる。このような環境上の問題から、発泡スチロール樹脂の緩衝体の使用が制限される傾向にある。
【０００４】
そこで自然崩壊性を有する段ボールを用いて緩衝体を組立てることが提案されている。段ボールはセルロースを原料とするものであるために、廃棄してもやがてバクテリヤによって分解されて水と炭酸ガスとになり、環境破壊の原因にはならない。また水で分解して再生することができ、リサイクル可能であることから、資源の有効利用につながる。
【０００５】
そこで本願発明者らは、特開２００１−６３７６号公報、特開２００１−７２１３４号公報、特開２００１−７２１３８号公報等によって、連結部によって部分的に連結された切断線を有する段ボールを切断線のところで交互に逆方向に折曲げて接合して成る緩衝クッションを用いた緩衝装置を提案している。
【０００６】
このような緩衝装置によって物品を完全に包囲しようとすると、大きな緩衝体を必要とするとともに、このような緩衝体を構成する段ボールの使用量が非常に増加する。しかも緩衝効果が不要な部分についても、段ボールを折曲げて積層した緩衝体によって保護することになるために、段ボールの使用が合理的でなくなる問題がある。またこのような緩衝体は、従来の発泡スチロール樹脂の緩衝体に比べてコストが増大する欠点がある。
【特許文献１】特開２００１−６３７６５号公報
【特許文献２】特開２００１−７２１３４号公報
【特許文献３】特開２００１−７２１３８号公報
【発明の開示】
【発明が解決しようとする課題】
【０００７】
本願発明の課題は、段ボールを折曲げて組立てられる包装用緩衝体における上記の従来の欠点を解消することである。
【０００８】
本願発明の別の課題は、被緩衝物品のほぼ全体を覆うことが可能であって、しかも必要な部位については段ボールの使用量を多くするとともに、緩衝効果が低くてよい部位については段ボールの使用量を少なくし得るようにした包装用緩衝体を提供することである。
【０００９】
本願発明のさらに別の課題は、段ボールの使用量が少なく、しかも被緩衝物品の保護を完全に行ない得る包装用緩衝体を提供することである。
【００１０】
本願発明のさらに別の課題は、緩衝効果に優れるとともに段ボールの使用量が少なく、低コストの包装用緩衝体を提供することである。
【００１１】
本願発明の上記の課題および他の課題は、以下に述べる発明の技術的思想および実施の形態によって明らかにされる。
【課題を解決するための手段】
【００１２】
本願の主要な発明は、段ボールを折曲げて組立てられる包装用緩衝体において、
前記段ボールの段目の方向と交差する方向に延びる切断線と一方のライナのみが連結される半切線とを互いにほぼ平行であって前記段目の方向に交互に形成し、
前記切断線を連結部によって部分的に連結し、
前記切断線と前記半切線とによって囲まれかつ山形に折曲げられた状態で連結される少なくとも一対の板状部を具備し、
前記一対の板状部の内の一方に前記切断線および前記半切線とほぼ平行な折曲げ線によって折曲げ可能な折曲げ片を設けるとともに、他方に前記折曲げ片を受ける切込み段部を設け、
前記折曲げ片を前記折曲げ線のところで折曲げて前記切込み段部で受け、前記折曲げ片の上面を被緩衝物品の受け面とすることを特徴とする包装用緩衝体に関するものである。
【００１３】
ここで山形に折曲げられた状態で連結される複数対の板状部を具備し、前記各対の板状部の内の一方に前記切断線および前記半切線とほぼ平行な折曲げ線によって折曲げ可能な折曲げ片を設けるとともに、他方に前記折曲げ片を受ける切込み段部を設け、前記折曲げ片を前記折曲げ線のところで折曲げて前記切込み段部で受け、前記折曲げ片の上面を被緩衝物品の受け面とすることが好ましい。また前記折曲げ片を折曲げる折曲げ線と前記切込み段部とがほぼ同じ高さの位置に形成され、前記折曲げ片の上面がほぼ水平な受け面を形成することが好ましい。また前記折曲げ片の先端側側部に係止爪が形成され、該係止爪が前記切込み段部の根元側の側部に係合されることが好ましい。また前記山形に折曲げられる板状部に対して段目の方向の端部側にさらに前記切断線と前記半切線とによって囲まれた板状部が連結され、端部側の該板状部が重合わされるように接合されて前記被緩衝物品の側端を受ける緩衝部として機能することが好ましい。
【発明の効果】
【００１４】
本願の主要な発明は、段ボールを折曲げて組立てられる包装用緩衝体において、段ボールの段目の方向と交差する方向に延びる切断線と一方のライナのみが連結される半切線とを互いにほぼ平行であって段目の方向に交互に形成し、切断線を連結部によって部分的に連結し、切断線と半切線とによって囲まれかつ山形に折曲げられた状態で連結される少なくとも一対の板状部を具備し、一対の板状部の内の一方に切断線および半切線とほぼ平行な折曲げ線によって折曲げ可能な折曲げ片を設けるとともに、他方に折曲げ片を受ける切込み段部を設け、折曲げ片を折曲げ線のところで折曲げて切込み段部で受け、折曲げ片の上面を被緩衝物品の受け面とするものである。
【００１５】
従ってこのような包装用緩衝体によれば、山形に折曲げられる板状部の内の一方の板状部の折曲げ片を折曲げ線のところで折曲げて形成される受け面によって被緩衝物品を受けることが可能になり、これによって被緩衝物品の広い領域を覆うことが可能になる。しかも板状体が山形に折曲げられるために、互いに重合わされるように積層される場合に比べて段ボールの密度が小さくなり、段ボールの使用量が少なくなる。従ってとくに高い緩衝効果を必要としない部位については、上記のような構造を採ることによって、段ボールの使用量が少なく、しかも被緩衝物品の保護がより確実に行なわれる低コストの包装用緩衝体が提供される。
【発明を実施するための最良の形態】
【００１６】
図１は本発明の一実施の形態に係る包装用緩衝体を製作するための段ボール１０を展開して示したものである。この段ボール１０は１１枚の板状部１１〜２４を備えており、これらの板状部１１〜２４が互いに交互に形成される切断線２７と半切線２８とによって画成されるようになっている。すなわち板状部１１〜２４は切断線２７と半切線２８とによって区画される領域であって、これらが互いに切断線２７または半切線２８を介して連結された状態になっている。しかも段ボール１０は上記板状部１１〜２４の配列方向であって段目の方向にその幅方向の中央部を横切るように破断線２６が形成されている。
【００１７】
切断線２７は互いに隣接する板状部を連結するものであって、図２に示すように一対の切込み２９が間欠的に上記切断線２７を横切るように形成され、切込み２９間が連結部３０になっている。なお連結部３０には切断線２７と対応する位置に対してその両側に折曲げ線３１が形成されるとともに、連結部３０に対してその両側には切込み３２が形成されている。なお切込み３２必ずしも必須ではなく、連結部３０の強度等を勘案して省略してもよい。
【００１８】
これに対して段ボール１０の切断線２７と交互に形成される半切線２８は図３に示すように、中芯３５に対してその両側にそれぞれライナ３６を接合した段ボール１０において、上記中芯３５に対して一方のライナ３６を残して他方のライナ３６を切断したものである。従って半切線２８は連結されている方のライナ３６の部分で折曲げ可能になる。
【００１９】
次に段ボール１０の構成について図１により説明する。段ボール１０の板状部１１、１２を横切る半切線２８に対してその両側に連続するように板状部１１、１２には異形の開口３９が形成されている。また半切線２８に対してその両側に位置する板状部１３、１４には、半切線２８を横切るように矩形の開口４０が形成されている。また板状部１６には板状部１５と連結する半切線２８に一方の側縁が臨むように細長い矩形の開口４１が形成されている。また板状部１７、１８には、これらの板状部１７、１８を連結する半切線２８を横切るように上記開口４１の２倍の大きさの矩形の開口４２が形成される。また板状部１９、２０にはこれらの板状部１９、２０を連結する半切線２８を横切るように矩形の開口４３が形成される。そしてこの矩形の開口４３の一方の側縁に臨むように板状部２０には折曲げ片４４が形成される。折曲げ片４４は板状部２０に形成される折曲げ線４５によって折曲げ可能に板状部２０に連結される。
【００２０】
次に板状部２１、２３には板状部２２、２４と連結する半切線２８に一方の側縁が一致するように矩形の開口４８がそれぞれ形成される。これらの矩形の開口４８にはその両側にそれぞれ３角形の切込み４９が形成される。そして板状部２２、２４には上記矩形の開口４８に接するとともに半切線２８と先端部が一致するように折曲げ片５０が形成される。この折曲げ片５０は板状部２２、２４に形成される折曲げ線５１によって折曲げ可能に連結される。さらに上記折曲げ片５０にはその先端側であって両側に直角３角形の係止爪５２が形成される。なお係止爪５２は上記切込み４９と同一の形状になっている。そしてこのような折曲げ片５０を受けるように上記板状部２１、２３の矩形の開口４８の最奥部が切込み用段部５３を形成することになる。
【００２１】
次に以上のような構成になる段ボール１０を折曲げて包装用緩衝体を組立てる動作を説明する。図４に示すように図１に示す段ボール１０を切断線２７および半切線２８のところで互いに交互に逆方向に板状部１１〜２４を折曲げる。ここで予め板状部１１〜１３の重合わせの接合部については澱粉糊等の接着手段を塗布しておく。また板状部１４〜２０についても同様に重合わせの接合部に予め澱粉糊等の接着手段を塗布しておく。そしてこの状態で１４枚の板状部１１〜２４を重合わせて積層方向に圧力を加えることによって、糊付けされた部分が互いに接合された状態で細長い直方体状をなす包装用緩衝体が形成される。ここで図５に示す包装用緩衝体は、中間位置の破断線２６に対してその両側がそれぞれ包装５緩衝体をなす。従ってこの破断線２６のところで分割することにより、１枚の段ボール１０から同時に２個の包装用緩衝体が製作される。
【００２２】
図６はこのようにした折畳まれかつ板状部１１〜１３および１４〜２０が互いに糊付けされて接合され、しかも破断線２６のところで２分割された包装用緩衝体を背面側から見た状態を示している。背面側から見ると、切断線２７の部分においては板状部１２〜２３を連結するように連結部３０が露出した状態になる。
【００２３】
次にこのような包装用緩衝体を使用時に組立てる動作について説明する。図７に示すように糊付けされて接合されていない４枚の板状部２１〜２４を山形になるように他の板状部１１〜２０に対して距離を置くように引伸ばす。そしてこの後に図８に示すように、板状部２２、２４にそれぞれ形成されている折曲げ片５０を折曲げ線５１のところで折曲げるとともに、この折曲げ片５０を山形に連結されている反対側の板状部２１、２３の矩形の開口４８の下縁に形成される切込み段部５３の中に導入し、この切込み段部５３のエッジの部分に上記折曲げ片５０の係止爪５２を係合させる。これによって折曲げ片５０が一対の板状部２１、２２および２３、２４の間においてほぼ水平な姿勢をとるとともに、これらの折曲げ片５０の上面が受け面になる。
【００２４】
さらに板状部２１と隣接しかつ切断線２７によって連結されている板状部２０に形成されている折曲げ片４１を折曲げ線４５のところで折曲げるとともに、この折曲げ線４５を矩形の開口４１、４２、４３のエッジの上面を覆うようにする。すると折曲げ片４４が上記折曲げ片５０とほぼ連続する空間を形成することになる。従ってこれら３つの折曲げ片４４、５０によって形成される平坦な部分であって凹部が被緩衝物品を受ける受け面になる。
【００２５】
この後にさらに図９に示すように、互いに糊付けされて接合されている３枚の板状部１１、１２、１３を半切線２８のところで板状部１４に対して１８０度折曲げて逆向きにするとともに、これらの板状部１１、１２、１３が板状部１６、１５、１４の上側に位置する姿勢をとるように組立てる。これらの板状部１１、１２、１３は被緩衝物品の側端の上部を受ける緩衝面を構成することになる。
【００２６】
図１０は図９に示すように組立てられた一対の緩衝体を互いに向い合うように配するとともに、これらの緩衝体の内部に被緩衝物品５６を収納して緩衝する状態を示している。直方体状をなす被緩衝物品５６は一対の互いに向い合う緩衝体の折曲げ片４４、５０から成る受け面上に載置された状態でこれらの緩衝体によって保持されることになる。とくにここで被緩衝物品５６の両端は互いに重合わせて接合された板状部１４〜２０および１１〜１３によって確実に保護される。しかも緩衝効果がそれほど必要でない中間の部位については、互いに山形に折曲げられる板状部２１〜２４によって保護されることになる。
【００２７】
従ってこのような緩衝体は、被緩衝物品５６のほぼ全体を確実に保護することが可能になり、これによって被緩衝物品５６のより完全な緩衝を行なうことが可能になる。とくに高い緩衝効果を必要とする部位については、密着して重合わされた板状部１１〜１３および板状部１４〜２０によって確実に外部からの衝撃を吸収できるようになる。またそれ以外の部位であって緩衝効果が小さくても物品の保護が可能な部位については、互いに山形に折曲げられた板状部２１〜２４によって適度な緩衝効果を実現できる。従って段ボール１０の使用量を少なくしながらしかも大きな被緩衝物品の保護が可能になる。これによって段ボール１０の使用量が少なくなるとともに、包装用緩衝体の製造コストを低減できるようになる。
【００２８】
以上本願発明を図示の実施の形態によって説明したが、本願発明は上記実施の形態によって限定されることなく、本願に含まれる発明の技術的思想の範囲内で各種の変更が可能である。例えば板状部１１〜２４の枚数やその寸法等については緩衝される物品の形状や重量等に応じて各種の変更が可能である。また折曲げ片４４、５０から成る受け面の大きさや寸法、板状部２１〜２４の傾斜角度等についても使用目的あるいは被緩衝物品の要求する緩衝効果に応じて任意に変更可能である。
【産業上の利用可能性】
【００２９】
本願発明は、各種の物品を緩衝した状態で梱包して物流に供するのに使用される緩衝体として広く利用可能である。
【図面の簡単な説明】
【００３０】
【図１】包装用緩衝体を組立てる段ボールの展開平面図である。
【図２】切断線の要部拡大平面図である
【図３】半切線の要部拡大断面図である。
【図４】段ボールを折畳む状態の斜視図である。
【図５】折畳んだ後に破断線のところで破断した状態を示す外観斜視図である。
【図６】分割された包装用緩衝体の背面側からの斜視図である。
【図７】包装用緩衝体を組立てる動作を示す斜視図である。
【図８】包装用緩衝体を組立てる動作を示す斜視図である。
【図９】組立てられた包装用緩衝体の外観斜視図である。
【図１０】組立てられた包装用緩衝体を互いに向い合わせに配するとともに、被緩衝物品を緩衝する状態を示す外観斜視図である。
【符号の説明】
【００３１】
１０  段ボール
１１〜２４  板状部
２６  破断線
２７  切断線
２８  半切線
２９  切込み
３０  連結部
３１  折曲げ線
３２  切込み
３５  中芯
３６  ライナ
３９  異形の開口
４０  矩形の開口
４１  細長い矩形の開口
４２、４３  矩形の開口
４４  折曲げ片
４５  折曲げ線
４８  矩形の開口
４９  ３角形の切込み
５０  折曲げ片
５１  折曲げ線
５２  係止爪
５３  切込み段部
５６  被緩衝物品
【図１】
2005170477.tif 000003
【図２】
2005170477.tif 000004
【図３】
2005170477.tif 000005
【図４】
2005170477.tif 000006
【図５】
2005170477.tif 000007
【図６】
2005170477.tif 000008
【図７】
2005170477.tif 000009
【図８】
2005170477.tif 000010
【図９】
2005170477.tif 000011
【図１０】
2005170477.tif 000012